(57)【要約】      （修正有）【課題】１つの操作で、時間に関連があるパラメータを示す指示部材、例えば秒針、が所定の位置にリセットされることを可能にする。【解決手段】時間に関連があるパラメータを示す指示部材を所定の位置にリセットする装置１００、特に「フライバック」装置であって、指示部材は、駆動可動装置１５に運動学的に連結されており、該装置１００は、エネルギー蓄積器９と、時間に関連があるパラメータを示す指示部材を所定の位置に戻す戻し要素１とを含み、戻し要素１は、エネルギー蓄積器９からのエネルギーを原動力とし、エネルギーは、所定の位置にリセットするための制御部材４を介して、ユーザによりエネルギー蓄積器９に供給され、制御部材４は、ユーザが操作することができる。【選択図】図３
2013011604.tif 000002
【特許請求の範囲】
【請求項１】
時間に関連があるパラメータを示す指示部材（２、１３；２２）を所定の位置にリセットする装置（１００；２００）、特に「フライバック」装置であって、前記指示部材は、駆動歯車（１５；３５）に運動学的に連結されており、前記装置は、エネルギー蓄積器（９）と、時間に関連がある前記パラメータを示す前記指示部材を所定の位置に戻す戻し要素（１；２１）とを含み、前記戻し要素は、前記蓄積器からのエネルギーを原動力とし、前記エネルギーは、前記所定の位置にリセットする制御部材（４）を介して、ユーザにより前記エネルギー蓄積器に供給され、前記制御部材は、前記ユーザが操作することができる、装置。
【請求項２】
前記指示部材は、摩擦またはクラッチにより前記駆動歯車に運動学的に連結されている、請求項１に記載の装置。
【請求項３】
前記戻し要素は、
前記指示部材に回転の観点から運動学的に連結されているカム（２；２２）と協働し、
軸（１’）を中心に回転するように取り付けられている
ハンマー（９２；２９２）を含む、請求項１または２に記載の装置。
【請求項４】
前記ハンマーは、動力を供給されると一方向の回転運動を実施する、請求項３に記載の装置。
【請求項５】
前記ハンマーは、作動されると、一回転の１／ｍ（ｍ＝１または２または３または４）の回転運動を実施する、請求項４に記載の装置。
【請求項６】
前記ハンマーは、前記カム（２；２２）に衝突することを目的とする平面（９２ａ）と、前記指示部材を前記所定の位置に停止させることを目的とする固定要素（９２ｂ）とを含む、請求項３から５のいずれか一項に記載の装置。
【請求項７】
前記固定要素（９２ｂ）は、前記カム（２；２２）の相補外形（２ｂ）と協働するディスク部分、特に１８０°より大きいディスク部分を含む、請求項６に記載の装置。
【請求項８】
前記エネルギー蓄積器からの運動を前記戻し要素に伝達する伝達要素（８、８ａ、７；２８、２７）を含む、請求項１から７のいずれか一項に記載の装置。
【請求項９】
前記運動伝達要素は、前記戻し要素に運動学的に連結されている第１のカム（７；２７）を含む、請求項８に記載の装置。
【請求項１０】
前記運動伝達要素は、前記エネルギー蓄積器により戻されて前記第１のカムに接触するランナ（８ａ；２８ａ）を含み、前記エネルギー蓄積器（９）は弾性要素（９１）を含む、請求項９に記載の装置。
【請求項１１】
前記エネルギー蓄積器にエネルギーを伝達しかつ前記戻し要素の動作を引き起こすエネルギー伝達要素（３、５、６、７）を含む、請求項１から１０のいずれか一項に記載の装置。
【請求項１２】
エネルギーを伝達しかつ前記戻し要素の動作を引き起こす前記要素は、揺動レバー（３）と第２のカム（６）とを含み、前記揺動レバーは、前記第２のカムに作用してそれを回転させることができ、前記第２のカムは、前記戻し要素に、回転の観点から運動学的に連結されている、請求項１１に記載の装置。
【請求項１３】
前記揺動レバー（３）は、軸（５’）を中心に枢動しかつ弾性要素（１１）により静止位置に戻されるように取り付けられている指状部（５）を含み、前記揺動レバーは、前記指状部を介して前記第２のカムに作用する、請求項１２に記載の装置。
【請求項１４】
例えばプッシャなどの前記制御部材（４）は、前記エネルギー蓄積器にエネルギーを伝達しかつ前記戻し要素の動作を引き起こす前記要素に作用することができる、請求項１から１３のいずれか一項に記載の装置。
【請求項１５】
前記エネルギーは、前記ユーザにより、前記所定の位置への前記戻しを制御する前記制御部材（４）を介して、事前に前記エネルギー蓄積器に供給され、前記制御部材は、前記ユーザが操作することができる、請求項１から１４のいずれか一項に記載の装置。
【請求項１６】
時間に関連があるパラメータを示す指示部材（２、１３；２２）を所定の位置にリセットする装置（１００；２００）であり、時間に関連がある前記パラメータを示す前記指示部材を前記所定の位置に戻す戻し要素（１；２１）を含み、前記戻し要素は、
前記指示部材に、回転の観点から運動学的に連結されているカム（２；２２）と協働し、
軸（１’）を中心に回転するように取り付けられている
ハンマー（９２；２９２）を含み、
前記ハンマーは、動力を供給されると一方向の回転運動、特に、動力を供給されると、ｍ＝１または２または３または４で、１回転の１／ｍの一方向の回転運動を実施する、装置。
【請求項１７】
エネルギー蓄積器（９）を含み、前記戻し要素は、前記蓄積器からのエネルギーを原動力とする、請求項１６に記載の装置。
【請求項１８】
請求項１から１７のいずれか一項に記載の装置（１００；２００）を含む、時計ムーブメント、詳細には、請求項１から１７のいずれか一項に記載の装置（１００；２００）を含みかつ前記第１の指示部材と同じパラメータを指示すると共に駆動可動装置に永久的に連結されている第２の指示部材を付加的に含む、時計ムーブメント。
【請求項１９】
前記装置は、前記戻し要素の前記作用に従う前記駆動可動装置（１５；３５）からの前記指示部材への再開された駆動が、前記制御部材の位置に無関係な「フライバック」装置である、請求項１８に記載のムーブメント。
【請求項２０】
請求項１８もしくは１９に記載の時計ムーブメント、または請求項１から１７のいずれか一項に記載の装置を含む、時計。
【発明の詳細な説明】
【技術分野】
【０００１】
本発明は、時間または時間パラメータに関連があるパラメータを示す指示部材を所定の位置にリセットする装置、特に「フライバック」装置として既知のものに関する。本発明はまた、時計ムーブメントまたは当該装置が備え付けられている時計に関する。
【背景技術】
【０００２】
スイープ秒針を瞬時に再スタートさせることができるようにゼロにリセットすることが可能である腕時計が、市場に出回っている。この機能は、一般的に「フライバック」として既知であり、やはり「フライバック」の名称で表されることがあるスプリットタイム機構とは区別される必要がある。
【０００３】
そのような機能は、一般的に、制御部材により制御される同期ゼロリセット装置により実施されており、装置の作動により秒針がゼロにリセットされ、解除により針が再スタートする。そのような装置は、制御部材の作用により第１に秒針がゼロにリセットされ、次いで第２にそれが再スタートする非同期ゼロリセット装置とは、区別される必要がある。図１に示されている通り、同期機構の動作は、このように、腕時計着用者の動作に同期しており、押しボタンを押すことによりゼロリセットがもたらされ、解除により秒針の再スタートがもたらされる。結果として、計時が実施される敏速度は、ユーザの器用さに依存する。したがって、そのような装置の機能性は、非同期ゼロリセット装置の機能性と比較すると、制限される。さらに、この同期装置は、一般に、クロノグラフ機構に取り付けられている。この場合、「フライバック」機構は、クロノグラフのクラッチシステムおよびそれを動作させるのに必要な多数の構成要素に依存する。別の解決策は、基本ムーブメント内の摩擦を用いてスイープ秒針を取り付けることである。そのような構造は、少数の構成部品を使用しかつクラッチを必要としないという利点を有する。しかし、摩擦は摩耗を受けるため、制御部材の長時間の作動は、ムーブメントの時間測定を中断させる危険、またはさらには時計を停止させる危険を伴う。これは、摩擦が、ムーブメントの正確な時間測定動作に必要なエネルギーから取り出されたエネルギーを消費するからである。
【０００４】
特許文献１は、水平クラッチを備えたクロノグラフ機構に対する修正形態を記載している。事前にクロノグラフを停止させておくことなく、不注意なゼロリセット時に計数連鎖が係合解除され得るような方法で、ハンマーが適合される。押しボタンの解除により、ハンマーの平面がゼロリセットハートピースから分離され、計数連鎖が再係合する。この機構は、クロノグラフ機構全体に依存する。さらには、そのようなシステムの適正な動作は、相当数の調節を必要とするため、非同期ゼロリセット装置の使用を可能にしない。
【０００５】
特許文献２は、解除システム（各種の解除レバーおよびコラムホイール）を有さない水平クラッチ装置に関する。制御部材が、「フライバック」機構と直接係合している。押しボタンを押すことによりハンマーの運動を引き起こし、それが、１つの動作でゼロリセットハートピースに作用し、当該運動の連鎖の揺動レバー上に配置されている計数連鎖を係合解除する。押しボタンを解除することにより、スイープ秒針が再スタートすることが可能になる。従来のクロノグラフ機構と比較してより少数の構成要素を有しているにもかかわらず、ゼロリセットを同期しかつ解除を制御する機構は、特に開発しにくい。さらに、そのようなシステムは、非同期ゼロリセット装置の使用を可能にしない。
【０００６】
特許文献３は、フライバックゼロリセットのための付加的な係合解除手段を作動させるように設計されているハンマーを含む垂直クラッチを備えたクロノグラフ機構を記載している。ユーザが押しボタンを押している間、該機構は係合解除され、秒針はゼロにリセットされる。この機構の適正な動作は、垂直クラッチの開発に依存しており、さらには、それを作動させるために追加の制御を必要とする。さらに、そのようなシステムは、非同期ゼロリセット装置の使用を可能にしない。
【０００７】
特許文献４は、クラッチを有さない装置を記載している。スイープ秒針が、秒針ピニオン上に摩擦取付けされている。押しボタンを押すことにより、スイープ秒針ゼロリセットハートピースに作用するハンマーの作用が生じる。秒針ピニオンと秒針との間に生成される摩擦は、ユーザが押しボタンを解除しない限り、残存している。したがって、この同期装置は、ムーブメントの時間測定を中断させるか、またはさらには時計を停止させる危険を伴う。ハンマーは、押しボタンが解除されると、線ばねにより位置に戻される。秒針は、次いで、再度回転駆動される。要するに、このシステムは、非同期ゼロリセット装置の使用を可能にしない。
【０００８】
特許文献５は、同期ゼロリセット装置を記載している。これは、制御部材がもはや作動されていないと、ハンマーが静止位置に戻ることを可能にするために、伸縮ばねと協働するように設計されている制御部材を使用している。したがって、そのようなシステムは、非同期ゼロリセット装置の使用を可能にしない。
【０００９】
特許文献６は、秒針および分針をゼロにリセットし、解除により針が再スタートする単一制御部材の、簡易化されたクロノグラフ装置の作動を記載している。システムは、クロノグラフの水平クラッチ機構およびゼロリセット装置に縮小され、それらは、ハートピース上でのハンマーの作動中に計数連鎖が係合解除され得るように設計されている。そのようなシステムは、適切なゼロリセット装置により同期ゼロリセット装置の使用を可能にするが、制御部材、水平クラッチおよびハンマーが非同期ゼロリセット装置を画定するようになされることを可能にしない。
【００１０】
特許文献７は、ハンマーの各ハートピースに対するハンマーへの配置の調節を可能にするために、少なくとも２つのハンマーの適合を記載している。その特許文献は、非同期ゼロリセット装置を備え付けるように設計されているシステムに、ハンマーが組み込まれ得る方法でこれらのハンマーが成形されることを認める、いかなる要素をも明記していない。
【００１１】
特許文献８は、要求に応じて時間指示を表示しかつプッシャにより制御される装置を記載している。システムはカムと、ラックに固定されているカム従動子と、ラックと噛合しているピニオンとを含む。後者は、押しボタンが作動しなくなるとすぐに、伸縮ばねにより戻される。これは、したがって、制御部材が表示装置と完全に同期している装置である。
【００１２】
上記特許文献を考慮して、これらの解決策は、戻し要素（ｒｅｔｕｒｎ  ｅｌｅｍｅｎｔ）すなわちハンマーまたはラックが、いかなる第三者装置とも無関係に、制御部材により、恐らくは伸縮ばねと結合された制御部材により直接作動される、同期ゼロリセット装置の使用に至ることを可能にする。実際、これらの解決策は、制御部材の動作により、第１に時間に関連があるパラメータを示す指示部材が所定の位置にリセットされ、第２にそれが再スタートする非同期ゼロリセット装置の使用を可能にしない。
【００１３】
特許文献９は、非同期であるという特定の特徴を有するフライバック装置の一実施形態を記載しており、その特徴は、押しボタンを押し下げる作用により、秒針がゼロにリセットされ、次いで再スタートすることである。押しボタンの作用は、カムおよび制御レバーを介して、ゼロリセットハンマーに伝達される。カムは回転可動動性を有し、伸縮ばねと協働する。このカムは、ゼロリセット中に制御レバーと協働するように設計されている傾斜面を有する。制御レバーが傾斜平面の端部に到達すると、ハートピースに対するハンマーの作用は中断される。カムと協働するばねは、押しボタンが依然として押し下げられているか否かについては関係なく、第２の伸縮ばねの作用下でその初期位置に復帰するハンマーに対する制御レバーの作用を中断するように、カムが後退することを可能にする。しかし、この機構は、秒針がゼロに留まる危険を排除せず、秒針を長時間停止させ、したがってムーブメントの動作を中断させる危険も排除しない。さらに、ユーザが押しボタンを作動させ始めるとすぐにユーザ自身が作動を感じ得る、明確な感覚を引き起こすために提供されている装置はない。最後に、押しボタンを部分的に押し下げることにより、ハートピースに対するハンマーが不完全に作用され、秒針をゼロ位置に部分的に戻す可能性がある。そのような可能性は望ましくない。
【００１４】
これらの特許文献を考慮して、さらに詳細には最後の前述の特許文献を考慮して、その解決策はいずれも、信頼性がある非同期ゼロリセット装置の使用に至ることを可能にせず、１つの同じ単一動作で、時間、例えば秒、に関連がある指示を瞬時にゼロにリセットし、次いで瞬時に再スタートさせ、ユーザにより実施される操作とは無関係に上記を実施することを可能にしない。
【先行技術文献】
【特許文献】
【００１５】
【特許文献１】スイス国特許出願第１８３２６２号明細書
【特許文献２】スイス国特許出願第２１４６６４号明細書
【特許文献３】欧州特許出願第１１３６８９４Ａ１号明細書
【特許文献４】フランス国特許出願第１１０４１０３号明細書
【特許文献５】スイス国特許出願第６９８８２７号明細書
【特許文献６】スイス国特許出願第７０２１５７号明細書
【特許文献７】スイス国特許出願第６７８９１０号明細書
【特許文献８】欧州特許出願第１９３６４４８号明細書
【特許文献９】スイス国特許出願第１９２６２４号明細書
【発明の概要】
【発明が解決しようとする課題】
【００１６】
本発明の目的は、好ましくは非同期タイプであり、前述の欠点を克服しかつ所定の位置にリセットする先行技術から既知の装置を向上させる、指示部材を所定の位置にリセットする装置を提供することである。詳細には、本発明は、信頼性があり、例えば押しボタンを押すなど、ユーザによる１つの操作で、時間に関連があるパラメータを示す指示部材、例えば秒針、が所定の位置にリセットされることを可能にする、所定の位置にリセットする装置を提案する。
【課題を解決するための手段】
【００１７】
本発明の第１の態様によれば、所定の位置にリセットする装置は、請求項１により定義されている。
【００１８】
装置の種々の実施形態が、請求項２から１５により定義されている。
【００１９】
本発明の第２の態様によれば、所定の位置にリセットする装置は、請求項１６により定義されている。
【００２０】
装置の一実施形態が、請求項１７により定義されている。
【００２１】
本発明による時計ムーブメントが、請求項１８により定義されている。
【００２２】
時計ムーブメントの一実施形態が、請求項１９により定義されている。
【００２３】
本発明による時計が、請求項２０により定義されている。
【００２４】
添付図面は、例として、時間に関連がある指示を所定の位置にリセットする装置の２つの実施形態を示している。
【図面の簡単な説明】
【００２５】
【図１】所定の位置にリセットする同期装置を含む時計の図である。
【図２】所定の位置にリセットする非同期装置を含む時計の図である。
【図３】種々の構成で示されている、本発明による所定の位置にリセットする装置の第１の実施形態の図である。
【図４】種々の構成で示されている、本発明による所定の位置にリセットする装置の第１の実施形態の図である。
【図５】種々の構成で示されている、本発明による所定の位置にリセットする装置の第１の実施形態の図である。
【図６】種々の構成で示されている、本発明による所定の位置にリセットする装置の第１の実施形態の図である。
【図７】種々の構成で示されている、本発明による所定の位置にリセットする装置の第１の実施形態の図である。
【図８】種々の構成で示されている、本発明による所定の位置にリセットする装置の第１の実施形態の図である。
【図９】所定の位置にリセットする装置の第１の実施形態の横断面図であり、図３に示されている断面ＩＸ−ＩＸの平面図である。
【図１０】所定の位置にリセットする作用を実施するハンマー／ハートピース組立体の一例の詳細図である。
【図１１】所定の位置にリセットする段階の間の、連続する配置でのハンマー／ハートピース組立体の図である。
【図１２】所定の位置にリセットする段階の間の、連続する配置でのハンマー／ハートピース組立体の図である。
【図１３】所定の位置にリセットする段階の間の、連続する配置でのハンマー／ハートピース組立体の図である。
【図１４】所定の位置にリセットする段階の間の、連続する配置でのハンマー／ハートピース組立体の図である。
【図１５】所定の位置にリセットする段階の間の、連続する配置でのハンマー／ハートピース組立体の図である。
【図１６】所定の位置にリセットする段階の間の、連続する配置でのハンマー／ハートピース組立体の図である。
【図１７】所定の位置にリセットする段階の間の、連続する配置でのハンマー／ハートピース組立体の図である。
【図１８】所定の位置にリセットする段階の間の、連続する配置でのハンマー／ハートピース組立体の図である。
【図１９】所定の位置にリセットする段階の間の、連続する配置でのハンマー／ハートピース組立体の図である。
【図２０】本発明による所定の位置にリセットする装置の第２の実施形態の図である。
【図２１】本発明による所定の位置にリセットする装置の第２の実施形態の図である。
【発明を実施するための形態】
【００２６】
時間に関連があるパラメータを示す指示部材１３を所定の位置にリセットする装置１００の第１の実施形態が、図２から図９を参照して、以下に記載されている。この装置は、時計ムーブメントすなわち腕時計のムーブメントを備え付けることを目的としている。例えば、この装置は、秒または任意の他の時間パラメータを指示する針が所定の位置にリセットされることを可能にする「フライバック」装置である。詳細には、所定の位置は、初期位置またはゼロを示す位置または任意の他の原点であってもよい。装置の動作は、ユーザ側の単一の動作、詳細には押しボタンを押すユーザの動作により制御されることが好ましい。押しボタンを押しているユーザの動作が、図２に示されている通り、指示部材を所定の位置に戻すことを可能にし、次いで、この指示部材の駆動が、１秒の１０分の１程度の持続後、再開される。したがって、この駆動の再開は瞬間的であり、押しボタンを解除するユーザとは関係ないと見なされ、単に、ユーザの動作により開始された機能を装置が完結するのにかかった時間に関係しているだけである。押しボタンが押し下げ続けられても、その後、指示部材の動作に影響がもたらされることはない。同様に、押しボタンの解除により、指示部材の動作に影響がもたらされることはない。したがって、駆動の再開は、制御部材の状態とは無関係である。
【００２７】
指示部材１３は、摩擦により駆動可動装置（ｄｒｉｖｅ  ｍｏｂｉｌｅ）１５に運動学的に連結されている。この駆動可動装置は、それ自体、香箱などの駆動部材から、既知の方法で、歯車１９を含む運動伝達連鎖（ｍｏｖｅｍｅｎｔ  ｔｒａｎｓｍｉｓｓｉｏｎ  ｃｈａｉｎ）により駆動される。したがって、所定の位置にリセットする装置に動力が供給されなかった場合、指示部材は摩擦により駆動部材に運動学的に連結されているため、時間に関連があるパラメータを示す指示部材は、動作中は永久的に駆動される。
【００２８】
所定の位置にリセットする装置は、主に、エネルギー蓄積器９と、時間に関連があるパラメータを示す指示部材を所定の位置に戻す戻し要素１とを含む。戻し要素は、蓄積器からのエネルギーを原動力とする。すなわち、戻し要素は、蓄積器からのエネルギーを使用して動作する。再配置装置は、エネルギー蓄積器から伸縮ばねまで運動を伝達する運動伝達要素をさらに含み、運動伝達要素は、エネルギー蓄積器へ、戻し要素の動作を引き起こすために、エネルギーを伝達する。蓄積器へのエネルギーの伝達は、プッシャ４から行われ得る。戻し要素の動作が、プッシャに対する作用により意図的に引き起こされ得る。このプッシャは、ユーザが操作することができ、エネルギー蓄積器にエネルギーを伝達しかつ戻し要素の作用または動作を引き起こす伝達要素に作用することができる。
【００２９】
戻し要素は、指示部材１３に、回転の観点から運動学的に連結されておりかつ軸１’を中心に回転するように取り付けられており、カム２、特にハートカムまたはハートピースに作用することができる、ハンマー９２を含む。ハートピース２は、指示部材１３に固定されていることが好ましい。戻し要素が動力を供給されると、ハンマーは後述のように、軸１’を中心に回転運動、特に一回転の回転運動または半回転の回転運動を実施する。ハンマーは、指示部材が所定の位置に到達するまでハートピースを回転させるために、ハートピースと協働することおよびハートピースの外形の一部分に作用することを目的とする平面９２ａを含む。さらに、ハンマーは、ハートピースを停止させるかまたは不動にし、したがって指示部材を所定の位置に停止させるかまたは不動にするために、ハートピースの外形の一部分と協働することを目的とする固定要素９２ｂを含む。全体的に、ハンマーは、ハンマーが静止位置にある場合にハートピースが軸２’を中心に自由に回転することを可能にする平面９２ａおよび切取り部９２ｃを形成する切欠きを有するディスクの形をしている。先行技術から既知の、軸を中心に枢動取付けされているハンマーとは異なり、該ハンマーは１つの回転方向だけに動く。例えば、ハンマーは、それ自体で１回転または１回転の何分の１かを実施する。ハンマーは、その移動または回転方向を反転させることにより初期位置に戻ることはしない。ハンマーは、動力が供給されると一方向に移動し、それは、ハンマーが協働するハートピースとの接触位置を経由してその静止位置からその静止位置までを言うことを意味する。
【００３０】
エネルギー蓄積器９から戻し要素１まで運動を伝達する伝達要素は、戻し要素に運動学的に連結されている、特にハンマーに運動学的に連結されている第１のカム７を含む。詳細には、第１のカム７は、ハンマーに固定されていてもよい。したがって、第１のカム７は、軸１’を中心に回転することができる。運動伝達要素はまた、エネルギー蓄積器、特にエネルギー蓄積器の板ばね９１などの弾性要素により、第１のカム７と接触した状態に保たれているランナまたはローラ８ａを含む。このランナは回転自在に取り付けられており、第１のカム７の外形に沿って回転することを目的としている。例えば、ランナ８ａは、軸８’を中心に枢動するように取り付けられているレバー８上で回転する自由を有して取り付けられている。この場合、ばね９１は、レバーに作用して、第１のカム７に当接してランナ８ａを戻す。あるいは、レバー８とばね９１とは、１つの構成要素に統合されていてもよく、レバー８の端部は、ランナ８ａとは無関係に、カム７の外形と協働してもよい。
【００３１】
エネルギーを伝達しかつ戻し要素の作動または動作を引き起こす伝達要素は、揺動レバー３と第２のカム６とを含む。第２のカム６は、戻し要素１に、回転の観点から運動学的に連結されている。例えば、第２のカム６は、第１のカム７に固定されている。この固定は、図示の通り、第１のカム７上のピンと協働している第２のカム上の切欠きにより達成されてもよい。揺動レバー３は、第２のカム６に作用して、それを回転させることができる。そのために、第２のカム６は、揺動レバー３、より正確には、軸５’を中心に枢動取付けされておりかつ弾性要素１１により停止部１２に当接して静止位置に戻される指状部５と、協働することを目的とする切欠き６ａを含む。したがって、指状部５は後退可能である。このように、揺動レバー３は、指状部５を介して第２のカム６に作用する。揺動レバーは、軸３’を中心に枢動するように取り付けられている。揺動レバーの枢動運動は、プッシャ４がユーザにより作動されると、プッシャ４の並進運動により引き起こされる。揺動レバーのこの作動は、伸縮ばね１０の動作に対抗して実施される。このばねは、プッシャに対するいかなる作用も存在しない場合に、揺動レバーが静止位置に戻されることを可能にする。したがって、その機能性は、先行技術から既知のゼロリセット装置の戻し要素および／または制御部材と協働するように設計されているばねの機能性の等価物である。
【００３２】
当然、プッシャは、任意のタイプの制御部材と置き換えられてもよい。
【００３３】
図９に示されている通り、指示部材１３およびハートピース２は、スピンドル１４上に設置されてもよい。指示部材１３の歯車１５は、ばね１６を介してこの組立体上に摩擦取付けされており、指示部材が所定の位置にリセットされている時に、指示部材が伝達連鎖から係合解除されることを可能にする。摩擦ばね１６は、不測の衝撃の場合に、指示部材１３とこの指示部材の歯車１５とを一緒に保てるような大きさに作製されているが、また、あらゆる場合に、ばね９１により蓄積されているエネルギーを使用して、指示部材が所定の位置にリセットされることを可能にするように設計されている。選択肢として、スピンドル１４に固定されているボブウェイト１７が、指示部材に起因する不均衡を有利に相殺し、したがって衝撃に対するその感受性を最小化してもよい。
【００３４】
図２に示されている通り、前述の指示部材を所定の位置にリセットする装置が、時計ムーブメントまたは時計に適用されてもよい。
【００３５】
所定の位置にリセットする装置の動作が、（エネルギー蓄積器にエネルギーを伝達しかつ戻し要素の動作を引き起こす伝達要素の動作を詳述している）図４Ａから図８と、（戻し要素の動作および戻し要素が指示部材とどのように相互作用するかを詳述している）図１１から図１８とを参照して、以下に記載されている。
【００３６】
図４Ａが、ユーザがプッシャ４に作用していない場合の、静止時のエネルギー伝達要素を示す。図４Ｂ、図５および図７に示されている通り、このプッシャの作動により、ばね１０の作用に対抗して、揺動レバー３が軸３’を中心に枢動する。この枢動は、第２のカム６の切欠き６ａに対する指状部５の作用をもたらす。この作用は、軸１’を中心とする第２のカム６の回転をもたらす。軸１’を中心とする第２のカム６の回転により、同じ軸を中心とする第１のカム７の回転が生じる。次いで、図５および７Ａに示されている通り、ランナ８ａは、第１のカムの第１の部分７ａにより画定されているその静止位置を離れ、第２のカムの第２の部分７ｂに到達するというように続く。第１の部分７ａにより画定されている静止位置は、制御部材４が作動していない場合、ばね９１の作用により、第１のカム７を回転の観点から不動にし、したがってハンマーを回転の観点から不動にすることを可能にする。第２の部分７ｂに沿って回転することにより、ランナ８ａは、第１のカムの回転軸１’から離れて移動する。このことは、レバー８の枢動をもたらし、したがって制御部材４を操作することでユーザにより供給されるエネルギーを貯蔵しているばね９１の変形をもたらす。このエネルギーは、図１１に示されている静止位置から、ランナ８ａが第２の外形７ｂと第３の外形７ｃとの間の分岐点７ｄに到達している図１２に示されている位置までの角度範囲Φで回転する第１のカム７の第２の外形７ｂにより蓄積される。この位置まで、第２のカム６は、指状部５を介した揺動レバー３の作用により、常時回転駆動されている。この第３の外形７ｃは、螺旋型または渦巻き型である。このように、ランナ８ａがこの外形上に到達するとすぐに、図７Ｂ、図１３、図１４、図１５、図１６、図１７および図１８に示されている通り、第１のカム７に当接してランナを戻す戻し作用が、第１のカム７に対するランナ８ａの機械的作用をもたらし、それにより、第１のカム７の回転軸１’の周囲に機械トルクを発生させる。次いで、第１のカム７が、ばね９１のエネルギーを使用して回転駆動されるというように続く。制御部材４または揺動レバー３に対するさらなる作用は必要とされない。詳細には、制御部材４は解除され得る。ばね９１が蓄積されたエネルギーを解放すると、ハンマー９２は１秒の１０分の１程度の持続時間で回転し、それにより、レバー８を介して第１のカム７へ回転運動を伝達し、そのランナ８ａは第３の外形７ｃと協働する。制御部材が解除されていない状況では、図８に示されている通り、第２のカム６の回転が指状部５を解放するようになされているため、ハンマー９２の回転は、揺動レバーを妨げない。このことを行うために、揺動レバー３上で軸５’に対して枢動する指状部５は、制御部材が作動していない場合に指状部を定位置に保持する、ばね１１および支持構造物上に取り付けられている停止部１２と協働する。
【００３７】
換言すれば、ハンマー９２がハートピース２を妨げていない限り、指示部材１３は、例えば図３、図４Ａおよび図１１に示されている通り、摩擦接続による伝達連鎖により回転駆動される。ユーザが制御部材４を作動させ、揺動レバー３および指状部５（図４Ｂ）で形成されているエネルギー伝達要素を始動させた場合、カム６、およびしたがってハンマー９２の回転が開始される。ランナ８ａは、図５および図１２に示されている通り、カム７の第２の外形７ｂに沿って移動し、カム７の第２の外形と第３の外形との間の分岐点７ｄに到達する。これにより、カムは、図１１に示されているその初期位置から角度Φ移動した。このエネルギー蓄積段階が終わると、ランナは、ハンマー９２の表面９２ａとハートピース２の表面２ａとが最初に接触するまで、カム７の第３の外形７ｃに沿って移動する。この移動は、図１３に示されている角度αの第１のカム７の回転に対応する。ハンマー９２の平面９２ａは、次いで、ハートピース２の表面２ａに作用して、図１４に示されている所定の位置に指示部材１３を戻す。したがって、摩擦接続におけるずれが生じ、駆動可動装置１５は依然として駆動されている。角度βの回転後、図１５および図１６に示されている通り、ハンマーの固定用外形９２ｂが、ハートピースの外形２ｃと接触する。指示部材は所定の位置に戻されており、ハンマーは図１７に示されている角度円弧δで移動しているが、指示部材はこの位置で不動にされている。この角移動の完了後、ハンマーはハートピースを妨害せず、指示部材は、摩擦接続により、図１８に示されている通り、所定の位置から再度回転駆動される。ハンマーと第１のカムおよび第２のカムとは、次いで、図１９に示されている通り、ランナ８ａが第１のカムの第１の外形７ａに来るまで、角度円弧γでそれらの回転を継続する。
【００３８】
角度範囲の振幅は、当然、ハンマー９２に対するハートピース２の相対位置に依存する。
【００３９】
指示部材を所定の位置にリセットする装置は、ばね９１のエネルギーの回復により生じる動的効果を緩和するように設計されている。このことを達成するために、ハンマー９２の運動学および形状は、第１に定位置に設定することを、第２に、定位置に設定することの後にハートピース２の角度位置を固定することを実施するように開発されてきた。
【００４０】
ハンマー９２とハートピース２との間の協働は、固定段階の間に、マルタ十字システムに連結され得る。詳細には、外形９２ｂと外形２ｃとは、互いに補完してもよく、類似のまたはさらには同一の湾曲半径の円の弧で少なくとも部分的に形成されていてもよい。
【００４１】
本発明の装置によれば、エネルギー蓄積器が、制御部材と所定の位置に戻す要素との間に界面を形成する。制御部材を作動させることにより生成されるエネルギーは、エネルギー蓄積器に伝達され、その後、特に１秒の何分の１かで、所定の位置への戻しを実現する要素に変換される。換言すれば、戻し要素は、蓄積器からのエネルギーを原動力とし、エネルギーは、制御部材により、事前にエネルギー蓄積器に供給される。このように、ユーザは決して、所定の位置への戻しを実現する要素を直接作用することができない。したがって、そのような設計は、フライバック機能がより信頼性のあるものになることを可能にし、摩擦クラッチ機構に因るいかなる時間測定の劣化も回避することを可能にする。
【００４２】
戻し要素が時間に関連があるパラメータを示す指示部材に作用する場合、この作用のエネルギーは、エネルギー蓄積器により一体的に供給される（ｓｕｐｐｌｉｅｄ  ｏｒ  ｐｒｏｖｉｄｅｄ）。このエネルギーは、先に蓄積器内に貯蔵されている。このエネルギーは、蓄積器に対するユーザの作用、詳細には制御部材を介した蓄積器に対するユーザの作用により貯蔵される。
【００４３】
エネルギー蓄積器は完全に習得されているシステムである。したがって、設計し実施することが容易である。
【００４４】
装置により蓄積されるエネルギーは、ユーザにより供給されるエネルギーである。したがって、プッシャを押す感覚は明確に定義され、またエネルギー蓄積器に依存する。したがって、当該所定の位置にリセットする装置が備え付けられている時計は、先行技術の既知のクロノグラフで必要とされるように、プッシャ上に対抗力を発生させるように設計されているいかなる追加の機構も必要としない。
【００４５】
ハンマーへ伝達されるエネルギーは、ハンマーが、全ての許容差範囲に亘って、不測の衝撃の場合に指示部材とこの可動装置の歯車とが互いに固定され続けるように設計される必要がある摩擦接続により生成される摩擦トルクを、克服可能である。
【００４６】
ハンマーの運動学は特に単純である。その機能を始動させることにより、常に同じ単一の回転方向に、３６０°（Φ＋α＋β＋δ＋γ＝３６０°）でハンマーが枢動する。したがって、ハンマーを駆動するのに必要な構成要素の数は、必要最小限に減少する。
【００４７】
ハンマーの運動学および形状は、第１に所定の位置へのリセットを開始するように、第２に、指示部材がその所定の位置に復帰したら指示部材の角度位置を固定するように、設計されている。したがって、この装置は、最小限の費用で、突然のエネルギーの回復に起因する動的効果を排除することを可能にし、任意の付加的なブレーキ機構を用いずにそのように実行する。
【００４８】
ユーザはハンマーの回転を把握しない。したがって、長引くゼロリセットおよび部分的なゼロリセットの危険は排除される。
【００４９】
ハンマーは、１秒の何分の１かで、すなわち瞬時に、ハートピースに作用する。したがって、長時間の摩擦トルクの結果として、時間測定性能に対するいかなる損傷の危険もない。
【００５０】
装置は、１つの動作で、秒針がゼロに瞬時にリセットされかつ再スタートすることを可能にし、時計に対する他の操作とは無関係に実施する。したがって、時間測定の質は、ユーザの器用さに依存しない。
【００５１】
このシステムは、いかなるクロノグラフ機構とも無関係である。該システムは、揺動レバークラッチを必要とせず、先行技術の既知の摩擦機構に固有の欠点を緩和する。
【００５２】
時間に関連があるパラメータを示す指示部材を所定の位置にリセットする装置２００の第２の実施形態が、図１９および図２０を参照して、以下に記載されている。第２の実施形態では、第１の実施形態の要素と同一の、類似の、または同じ機能を実施する要素が、第１の実施形態に使用されている参照符号と比較して２０を足した参照符号により特定されている。このように、例えば、第１の実施形態を示す図で８と記載されているレバーは、第２の実施形態を示す図で２８と記載されている。同様に、例えば、カムは第１の実施形態を示す図では２と記載されており、第２の実施形態を示す図では２２と記載されている。本実施形態では、ハンマーの回転の角度範囲は、サイズの理由から縮小されている。カム２７とハンマー２９２とは、機能が始動されると、単一の回転方向に１８０°回転するように設計されている。したがって、カム２７の機能表面およびハンマー２９２の機能表面は重複である。重複表面は、「’」を使用して記載されている。第２の実施形態が作動する方法は、第１の実施形態の作動、詳細には、カムとハンマーとが、所定の位置へリセットする機能の間に、移動方向の反転なしに単一の回転方向に移動すること、に完全に類似している。また、１２０°もしくは９０°の角度、またはより一般的には３６０°／ｍ（ここで、詳細には、ｍ＝１または２または３または４）で回転するハンマーを着想することが可能である。この解決策は、例えば、いくつかのハートピース、この特定の例ではｎ個のハートピース、を駆動可能にすると考えられ、ｎ個の指示部材をｎ個の所定の位置にリセットするために、その中心は、ハンマーの軸と同心の円上に配されている（ここで、詳細には、ｎ＝１または２または３または４）。ｎ＝ｍである場合、ハンマーの平面の各々は、ハンマーが作動する度に１つのハートピースに作用することができる。
【００５３】
このように、ここに記載の２つの実施形態では、装置は、蓄積器からのエネルギーのおかげで戻し要素を作動させるかまたは戻し要素に運動を伝達する要素を含む。エネルギーは、所定の位置へのリセットを引き起こす制御部材４を介して、かつエネルギー蓄積器にエネルギーを伝達すると共に戻し要素の動作を引き起こす要素を介して、ユーザによりエネルギー蓄積器に付与される。制御部材は、ユーザが操作する（ｍａｎｉｐｕｌａｔｅｄ  ｏｒ  ｍａｎｅｕｖｅｒｅｄ  ｏｒ  ｈａｎｄｌｅ）かまたは動かす（ｍｏｖｅｄ）ことができる。
【００５４】
前述の実施形態では、指示部材は、駆動可動装置に、摩擦により機械的に連結されている。それにもかかわらず、指示部材は、摩擦システムの代わりにクラッチシステムを使用することも可能と考えられる。そのような場合には、クラッチを切ることは、戻し要素の作用段階の間に、すなわちハートピースに対するハンマーの作用によりゼロにリセットするステップの間に、次いで固定するステップの間に、制御されるであろう。
【００５５】
当然、この装置をクロノグラフ機構内に挿入することが考えられる。クロノグラフの計数連鎖の各指示、例えば秒、分および時間の指示は、ハンマーにより作動され得る、それぞれに対応するハートピースを有する。採用されている設計に応じて、これらのハートピースは、同心に配置され得るか、またはあるいは、１秒の１０分の１程度の継続時間の間にゼロリセットハンマーにより、特に１秒の１０分の１程度の継続時間の間に１つの同一の平面により、それらが順に作動され得るように、それらの中心がハンマーの軸と同心の円内に並んでいるような方法で配置可能である。
【符号の説明】
【００５６】
１  戻し要素
１’、２’、３’、５’、８’  軸
２、２２  カム、ハートピース
２ａ  表面
２ｃ  外形
３  揺動レバー
４  プッシャ、制御部材
５  指状部
６  第２のカム
６ａ  切欠き
７、２７  第１のカム
７ａ  第１の部分
７ｂ  第２の部分、第２の外形
７ｃ  第３の外形
７ｄ  分岐点
８、２８  レバー
８ａ、２８ａ  ランナ／ローラ
９  エネルギー蓄積器
１０  伸縮ばね
１１  弾性要素、ばね
１２  停止部
１３  指示部材
１４  スピンドル
１５、３５  駆動可動装置、歯車
１６  摩擦ばね
１７  ボブウェイト
１９  歯車
９１  板ばね
９２、２９２  ハンマー
９２ａ  平面、表面
９２ｂ  固定要素、固定用外形
９２ｃ  切取り部
１００、２００  装置
α、β  角度
γ、δ  角度円弧
Φ  角度範囲
【図１】
2013011604.tif 000003
【図２】
2013011604.tif 000004
【図３】
2013011604.tif 000005
【図４】
2013011604.tif 000006
【図５】
2013011604.tif 000007
【図６】
2013011604.tif 000008
【図７】
2013011604.tif 000009
【図８】
2013011604.tif 000010
【図９】
2013011604.tif 000011
【図１０】
2013011604.tif 000012
【図１１】
2013011604.tif 000013
【図１２】
2013011604.tif 000014
【図１３】
2013011604.tif 000015
【図１４】
2013011604.tif 000016
【図１５】
2013011604.tif 000017
【図１６】
2013011604.tif 000018
【図１７】
2013011604.tif 000019
【図１８】
2013011604.tif 000020
【図１９】
2013011604.tif 000021
【図２０】
2013011604.tif 000022
【図２１】
2013011604.tif 000023
【外国語明細書】
2013011604000001.pdf
2013011604000002.pdf
2013011604000003.pdf
2013011604000004.pdf